(57)【特許請求の範囲】
【請求項１】
物体側から像側へと順に、
正のパワーを有する第１レンズ群と、
正のパワーを有する第２レンズ群と、
正のパワーを有する第３レンズ群と、
負のパワーを有する第４レンズ群と、
正のパワーを有する第５レンズ群とからなり、
変倍時に、各レンズ群の間隔が変化するように全レンズ群が相対移動する、ズームレンズ系。
【請求項２】
第３レンズ群中に開口絞りが配置され、該開口絞りよりも物体側のレンズ群にて、無限遠合焦状態から近接物体合焦状態へのフォーカシングを行う、請求項１に記載のズームレンズ系。
【請求項３】
第３レンズ群中に開口絞りが配置され、該開口絞りよりも像側のレンズ群にて、像ぶれを光学的に補正する、請求項１に記載のズームレンズ系。
【請求項４】
負のパワーを有する第４レンズ群にて像ぶれを光学的に補正する、請求項３に記載のズームレンズ系。
【請求項５】
以下の条件（１）を満足する、請求項１に記載のズームレンズ系：
０．２＜Ｄ12W／ｆW＜０．５  ・・・（１）
ここで、
Ｄ12W：広角端における第１レンズ群と第２レンズ群との光軸上の間隔、
ｆW：広角端における全系の焦点距離
である。
【請求項６】
以下の条件（２）を満足する、請求項１に記載のズームレンズ系：
１．０＜ｆ1／ｆ2＜２．０  ・・・（２）
ここで、
ｆ1：第１レンズ群の焦点距離、
ｆ2：第２レンズ群の焦点距離
である。
【請求項７】
第３レンズ群が少なくとも２つのサブレンズ群で構成され、以下の条件（３）を満足する、請求項１に記載のズームレンズ系：
０．０５＜Ｄ3／ｆW＜０．２５  ・・・（３）
ここで、
Ｄ3：１つのサブレンズ群（Ｇ３１）と、該サブレンズ群（Ｇ３１）よりも像側に配置された別のサブレンズ群（Ｇ３２）との光軸上の間隔、
ｆW：広角端における全系の焦点距離
である。
【請求項８】
請求項１に記載のズームレンズ系と、
前記ズームレンズ系が形成する光学像を受光して電気的な画像信号に変換する撮像素子を含むカメラ本体との接続が可能なレンズマウント部と
を備える、交換レンズ装置。
【請求項９】
請求項１に記載のズームレンズ系を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える、カメラシステム。
【発明の詳細な説明】
【技術分野】
【０００１】
本発明は、ズームレンズ系、交換レンズ装置及びカメラシステムに関する。特に本発明は、いわゆるレンズ交換式デジタルカメラシステムの撮像レンズ系として好適なズームレンズ系、該ズームレンズ系を含む交換レンズ装置及びカメラシステムに関する。
【背景技術】
【０００２】
近年、レンズ交換式デジタルカメラシステムが急速に普及している。レンズ交換式デジタルカメラシステム（以下、単に「カメラシステム」ともいう）は、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の撮像素子を有するカメラ本体と、撮像素子の受光面に光学像を形成するための撮像レンズ系を備えた交換レンズ装置とを備える。
【０００３】
レンズ交換式デジタルカメラシステムには、コンパクト型デジタルカメラに搭載されるものよりも大型の撮像素子が用いられるので、高感度で高画質な画像を撮影することができる。また、レンズ交換式デジタルカメラシステムには、フォーカシングや撮影後の画像処理が高速で、撮りたい場面に合わせて手軽に交換レンズ装置を取り替えることができる等の利点もある。さらに、光学像を変倍可能に形成するズームレンズ系を備えた交換レンズ装置は、レンズ交換をすることなく焦点距離を自在に変化させることができる点で人気がある。したがって、従来より、例えば特許文献１及び特許文献２に開示されたズームレンズ系のように、レンズ交換式デジタルカメラシステムの撮像レンズ系として利用し得るズームレンズ系が種々提案されている。
【先行技術文献】
【特許文献】
【０００４】
【特許文献１】特開２００２−２８７０２９号公報
【特許文献２】特開２００１−１１７００６号公報
【発明の概要】
【発明が解決しようとする課題】
【０００５】
レンズ交換式デジタルカメラシステムには、上述した様々な利点がある一方で、コンパクト型デジタルカメラと比べると、サイズや重量が大きい。持ち運びや取り回しを容易に行うには、サイズや重量はできるだけ小さいことが好ましい。したがって、レンズ交換式デジタルカメラシステム用のズームレンズ系にも、結像性能を維持しつつ、可能な限りコンパクトで軽量であることが求められる。
【０００６】
本発明の目的は、レンズ交換式デジタルカメラシステムに好適に用いることができ、サイズが小さく軽量で、結像性能に優れたズームレンズ系を提供することである。また、本発明の他の目的は、サイズが小さく軽量な交換レンズ装置及びカメラシステムを提供することである。
【課題を解決するための手段】
【０００７】
上記目的の１つは、以下のズームレンズ系により達成される。すなわち本発明は、
物体側から像側へと順に、
正のパワーを有する第１レンズ群と、
正のパワーを有する第２レンズ群と、
正のパワーを有する第３レンズ群と、
負のパワーを有する第４レンズ群と、
正のパワーを有する第５レンズ群とからなり、
変倍時に、各レンズ群の間隔が変化するように全レンズ群が相対移動する、ズームレンズ系
に関する。
【０００８】
上記目的の１つは、以下の交換レンズ装置により達成される。すなわち本発明は、
物体側から像側へと順に、
正のパワーを有する第１レンズ群と、
正のパワーを有する第２レンズ群と、
正のパワーを有する第３レンズ群と、
負のパワーを有する第４レンズ群と、
正のパワーを有する第５レンズ群とからなり、
変倍時に、各レンズ群の間隔が変化するように全レンズ群が相対移動するズームレンズ系と、
前記ズームレンズ系が形成する光学像を受光して電気的な画像信号に変換する撮像素子を含むカメラ本体との接続が可能なレンズマウント部と
を備える、交換レンズ装置
に関する。
【０００９】
上記目的の１つは、以下のカメラシステムにより達成される。すなわち本発明は、
物体側から像側へと順に、
正のパワーを有する第１レンズ群と、
正のパワーを有する第２レンズ群と、
正のパワーを有する第３レンズ群と、
負のパワーを有する第４レンズ群と、
正のパワーを有する第５レンズ群とからなり、
変倍時に、各レンズ群の間隔が変化するように全レンズ群が相対移動するズームレンズ系、を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える、カメラシステム
に関する。
【発明の効果】
【００１０】
本発明によれば、サイズが小さく軽量で、結像性能に優れたズームレンズ系、該ズームレンズ系を含む交換レンズ装置及びカメラシステムを実現することができる。
【図面の簡単な説明】
【００１１】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の望遠端における、像ぶれ補正を行っていない基本状態及び像ぶれ補正状態での横収差図
【図４】実施の形態２（実施例２）に係るズームレンズ系の無限遠合焦状態を示すレンズ配置図
【図５】実施例２に係るズームレンズ系の無限遠合焦状態の縦収差図
【図６】実施例２に係るズームレンズ系の望遠端における、像ぶれ補正を行っていない基本状態及び像ぶれ補正状態での横収差図
【図７】実施の形態３（実施例３）に係るズームレンズ系の無限遠合焦状態を示すレンズ配置図
【図８】実施例３に係るズームレンズ系の無限遠合焦状態の縦収差図
【図９】実施例３に係るズームレンズ系の望遠端における、像ぶれ補正を行っていない基本状態及び像ぶれ補正状態での横収差図
【図１０】実施の形態４（実施例４）に係るズームレンズ系の無限遠合焦状態を示すレンズ配置図
【図１１】実施例４に係るズームレンズ系の無限遠合焦状態の縦収差図
【図１２】実施例４に係るズームレンズ系の望遠端における、像ぶれ補正を行っていない基本状態及び像ぶれ補正状態での横収差図
【図１３】実施の形態５に係るレンズ交換式デジタルカメラシステムの概略構成図
【発明を実施するための形態】
【００１２】
図１、４、７及び１０は、それぞれ実施の形態１、２、３及び４に係るズームレンズ系のレンズ配置図であり、いずれも無限遠合焦状態にあるズームレンズ系を表している。
【００１３】
各図において、（ａ）図は広角端（最短焦点距離状態：焦点距離ｆW）のレンズ構成、（ｂ）図は中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１４】
各図において、各レンズ群の符号に付された記号（＋）及び記号（−）は、各レンズ群のパワーの符号に対応する。また各図において、最も右側に記載された直線は、像面Ｓの位置を表す。さらに各図に示すように、第３レンズ群Ｇ３内には開口絞りＡが設けられている。
【００１５】
実施の形態１〜４に係るズームレンズ系は、物体側から像側へと順に、正のパワーを有する第１レンズ群Ｇ１と、正のパワーを有する第２レンズ群Ｇ２と、正のパワーを有する第３レンズ群Ｇ３と、負のパワーを有する第４レンズ群Ｇ４と、正のパワーを有する第５レンズ群Ｇ５とを備える。
【００１６】
（実施の形態１）
第１レンズ群Ｇ１は、物体側から像側へと順に、物体側に凸面を向けた平凸形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。第２レンズ素子Ｌ２と第３レンズ素子Ｌ３とは互いに接合されている。
【００１７】
第２レンズ群Ｇ２は、物体側から像側へと順に、物体側に凸面を向けた負メニスカス形状の第４レンズ素子Ｌ４と、物体側に凸面を向けた平凸形状の第５レンズ素子Ｌ５とからなる。第４レンズ素子Ｌ４と第５レンズ素子Ｌ５とは互いに接合されている。
【００１８】
第３レンズ群Ｇ３は、物体側から像側へと順に、両凹形状の第６レンズ素子Ｌ６と、両凸形状の第７レンズ素子Ｌ７と、両凹形状の第８レンズ素子Ｌ８と、開口絞りＡと、両凸形状の第９レンズ素子Ｌ９と、物体側に凸面を向けた負メニスカス形状の第１０レンズ素子Ｌ１０と、両凸形状の第１１レンズ素子Ｌ１１とからなる。第７レンズ素子Ｌ７と第８レンズ素子Ｌ８とは互いに接合されており、第１０レンズ素子Ｌ１０と第１１レンズ素子Ｌ１１とは互いに接合されている。
【００１９】
第４レンズ群Ｇ４は、物体側から像側へと順に、物体側に凸面を向けた負メニスカス形状の第１２レンズ素子Ｌ１２と、像側に凸面を向けた正メニスカス形状の第１３レンズ素子Ｌ１３と、両凹形状の第１４レンズ素子Ｌ１４とからなる。第１３レンズ素子Ｌ１３と第１４レンズ素子Ｌ１４とは互いに接合されている。
【００２０】
第５レンズ群Ｇ５は、物体側から像側へと順に、両凸形状の第１５レンズ素子Ｌ１５と、像側に凸面を向けた負メニスカス形状の第１６レンズ素子Ｌ１６と、両凸形状の第１７レンズ素子Ｌ１７とからなる。
【００２１】
（実施の形態２）
第１レンズ群Ｇ１は、物体側から像側へと順に、物体側に凸面を向けた平凸形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。第２レンズ素子Ｌ２と第３レンズ素子Ｌ３とは互いに接合されている。
【００２２】
第２レンズ群Ｇ２は、物体側から像側へと順に、物体側に凸面を向けた負メニスカス形状の第４レンズ素子Ｌ４と、物体側に凸面を向けた正メニスカス形状の第５レンズ素子Ｌ５とからなる。第４レンズ素子Ｌ４と第５レンズ素子Ｌ５とは互いに接合されている。
【００２３】
第３レンズ群Ｇ３は、物体側から像側へと順に、両凹形状の第６レンズ素子Ｌ６と、両凸形状の第７レンズ素子Ｌ７と、両凹形状の第８レンズ素子Ｌ８と、開口絞りＡと、両凸形状の第９レンズ素子Ｌ９と、物体側に凸面を向けた負メニスカス形状の第１０レンズ素子Ｌ１０と、両凸形状の第１１レンズ素子Ｌ１１とからなる。
【００２４】
第４レンズ群Ｇ４は、物体側から像側へと順に、物体側に凸面を向けた負メニスカス形状の第１２レンズ素子Ｌ１２と、像側に凸面を向けた正メニスカス形状の第１３レンズ素子Ｌ１３と、両凹形状の第１４レンズ素子Ｌ１４とからなる。第１３レンズ素子Ｌ１３と第１４レンズ素子Ｌ１４とは互いに接合されている。
【００２５】
第５レンズ群Ｇ５は、物体側から像側へと順に、両凸形状の第１５レンズ素子Ｌ１５と、像側に凸面を向けた負メニスカス形状の第１６レンズ素子Ｌ１６と、両凸形状の第１７レンズ素子Ｌ１７とからなる。
【００２６】
（実施の形態３）
第１レンズ群Ｇ１は、物体側から像側へと順に、物体側に凸面を向けた平凸形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。第２レンズ素子Ｌ２と第３レンズ素子Ｌ３とは互いに接合されている。
【００２７】
第２レンズ群Ｇ２は、物体側から像側へと順に、物体側に凸面を向けた負メニスカス形状の第４レンズ素子Ｌ４と、物体側に凸面を向けた正メニスカス形状の第５レンズ素子Ｌ５とからなる。第４レンズ素子Ｌ４と第５レンズ素子Ｌ５とは互いに接合されている。
【００２８】
第３レンズ群Ｇ３は、物体側から像側へと順に、両凹形状の第６レンズ素子Ｌ６と、両凸形状の第７レンズ素子Ｌ７と、両凹形状の第８レンズ素子Ｌ８と、開口絞りＡと、両凸形状の第９レンズ素子Ｌ９と、物体側に凸面を向けた負メニスカス形状の第１０レンズ素子Ｌ１０と、両凸形状の第１１レンズ素子Ｌ１１とからなる。第７レンズ素子Ｌ７と第８レンズ素子Ｌ８とは互いに接合されており、第１０レンズ素子Ｌ１０と第１１レンズ素子Ｌ１１とは互いに接合されている。
【００２９】
第４レンズ群Ｇ４は、物体側から像側へと順に、物体側に凸面を向けた負メニスカス形状の第１２レンズ素子Ｌ１２と、像側に凸面を向けた正メニスカス形状の第１３レンズ素子Ｌ１３と、両凹形状の第１４レンズ素子Ｌ１４とからなる。第１３レンズ素子Ｌ１３と第１４レンズ素子Ｌ１４とは互いに接合されている。
【００３０】
第５レンズ群Ｇ５は、物体側から像側へと順に、両凸形状の第１５レンズ素子Ｌ１５と、像側に凸面を向けた負メニスカス形状の第１６レンズ素子Ｌ１６と、両凸形状の第１７レンズ素子Ｌ１７とからなる。
【００３１】
（実施の形態４）
第１レンズ群Ｇ１は、物体側から像側へと順に、両凸形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。第２レンズ素子Ｌ２と第３レンズ素子Ｌ３とは互いに接合されている。
【００３２】
第２レンズ群Ｇ２は、物体側から像側へと順に、物体側に凸面を向けた負メニスカス形状の第４レンズ素子Ｌ４と、物体側に凸面を向けた正メニスカス形状の第５レンズ素子Ｌ５とからなる。第４レンズ素子Ｌ４と第５レンズ素子Ｌ５とは互いに接合されている。
【００３３】
第３レンズ群Ｇ３は、物体側から像側へと順に、両凹形状の第６レンズ素子Ｌ６と、物体側に凸面を向けた負メニスカス形状の第７レンズ素子Ｌ７と、物体側に凸面を向けた正正メニスカス形状の第８レンズ素子Ｌ８と、開口絞りＡと、両凸形状の第９レンズ素子Ｌ９と、物体側に凸面を向けた負メニスカス形状の第１０レンズ素子Ｌ１０と、両凸形状の第１１レンズ素子Ｌ１１とからなる。
【００３４】
第４レンズ群Ｇ４は、物体側から像側へと順に、物体側に凸面を向けた負メニスカス形状の第１２レンズ素子Ｌ１２と、像側に凸面を向けた正メニスカス形状の第１３レンズ素子Ｌ１３と、両凹形状の第１４レンズ素子Ｌ１４とからなる。第１３レンズ素子Ｌ１３と第１４レンズ素子Ｌ１４とは互いに接合されている。
【００３５】
第５レンズ群Ｇ５は、物体側から像側へと順に、両凸形状の第１５レンズ素子Ｌ１５と、像側に凸面を向けた負メニスカス形状の第１６レンズ素子Ｌ１６と、両凸形状の第１７レンズ素子Ｌ１７とからなる。
【００３６】
実施の形態１〜４に係るズームレンズ系では、広角端から望遠端へのズーミングの際に、第１レンズ群Ｇ１と第２レンズ群Ｇ２との間隔が広角端よりも望遠端で長くなり、第２レンズ群Ｇ２と第３レンズ群Ｇ３との間隔が広角端よりも望遠端で短くなり、第３レンズ群Ｇ３と第４レンズ群Ｇ４との間隔が広角端よりも望遠端で短くなり、第４レンズ群Ｇ４と第５レンズ群Ｇ５との間隔が広角端よりも望遠端で短くなるように、各レンズ群が光軸に沿って物体側へ移動する。開口絞りＡは、第３レンズ群Ｇ３と共に光軸に沿って移動する。
【００３７】
各実施の形態に係るズームレンズ系のように、広角端から望遠端へのズーミングの際に、第１レンズ群Ｇ１が光軸に沿って移動することが好ましい。第１レンズ群Ｇ１を可動群とすることにより、後続するレンズ群の光線高を小さくすることができる。この結果、後続するレンズ群の小型化を実現することができ、インナーフォーカス方式におけるフォーカシングレンズ群の小型化及び軽量化が可能になる。また、ズーミングの際に、第３レンズ群Ｇ３が光軸に沿って移動することが好ましい。第３レンズ群Ｇ３を変倍群とすることにより、ズームレンズ系の小型化を図りつつ、結像性能を向上させることができる。
【００３８】
各実施の形態に係るズームレンズ系では、無限遠合焦状態から近接物体合焦状態へのフォーカシングの際に、開口絞りＡよりも物体側の第２レンズ群Ｇ２が光軸に沿って物体側へ移動する。各実施の形態に係るズームレンズ系では第２レンズ群Ｇ２が２枚のレンズ素子で構成されているので、フォーカシングレンズ群の軽量化を図ることができる。さらにフォーカシングレンズ群である第２レンズ群Ｇ２は、接合レンズ素子のみで構成されていることが望ましい。この場合、望遠端におけるフォーカシングの際の色収差を良好に補正することが可能になる。
【００３９】
各実施の形態に係るズームレンズ系では、光学系が振動した際の像ぶれを光学的に補正するために、開口絞りＡよりも像側の第４レンズ群Ｇ４を光軸と垂直方向に移動させる。開口絞りＡよりも像側に配置され、負のパワーを有するレンズ群を像ぶれ補正レンズ群とすることにより、そのレンズ径を小さくすることができる。さらに、像ぶれ補正レンズ群よりも像側に少なくとも１つの正のパワーを有するレンズ群を配置することで、像ぶれ補正時の光学性能を良好に維持することができる。
【００４０】
各実施の形態に係るズームレンズ系では、第３レンズ群Ｇ３は、物体側から像側へと順に、負のパワーを有する第１サブレンズ群と、正のパワーを有する第２サブレンズ群とで構成されている。ここで、サブレンズ群とは、１つのレンズ群が複数のレンズ素子で構成されている場合に、該レンズ群に含まれるいずれか１枚のレンズ素子又は隣り合った複数のレンズ素子の組み合わせをいう。開口絞りＡは、第１サブレンズ群に隣接して配置されている。開口絞りＡを負のパワーを有する第１サブレンズ群に隣接して配置することで、開口絞りＡを通過する軸上光線高を小さくすることができ、レンズ鏡筒の外径を小さくすることができる。
【００４１】
各実施の形態に係るズームレンズ系では、像ぶれ補正レンズ群である第４レンズ群Ｇ４よりも像側の第５レンズ群Ｇ５が、３枚以上のレンズ素子で構成されているので、像ぶれ補正時の光学性能を良好に維持することができる。
【００４２】
以下、例えば実施の形態１〜４に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００４３】
例えば実施の形態１〜４に係るズームレンズ系のように、物体側から像側へと順に、正のパワーを有する第１レンズ群と、正のパワーを有する第２レンズ群と、正のパワーを有する第３レンズ群と、負のパワーを有する第４レンズ群と、正のパワーを有する第５レンズ群とからなり、変倍時に、各レンズ群の間隔が変化するように全レンズ群が相対移動する（以下、このレンズ構成を、実施の形態の基本構成という）ズームレンズ系は、以下の条件（１）を満足することが好ましい。
０．２＜Ｄ１２Ｗ／ｆＷ＜０．５  ・・・（１）
ここで、
Ｄ１２Ｗ：広角端における第１レンズ群と第２レンズ群との光軸上の間隔、
ｆＷ：広角端における全系の焦点距離
である。
【００４４】
条件（１）は、広角端における第１レンズ群及び第２レンズ群の光軸方向の構成長を規定している。条件（１）が満足される場合、第２レンズ群の小型化が実現され、第２レンズ群でフォーカシングを行う際に、その重量が増加するのを抑えることができる。条件（１）の上限を上回ると、ズームレンズ系全体の構成長の増加に繋がり、ズームレンズ系の小型化が困難になる。一方、条件（１）の下限を下回ると、第２レンズ群が大型化する傾向があり、第２レンズ群でのフォーカシングが困難になる。
【００４５】
各実施の形態に係るズームレンズ系が、以下の条件（１）’及び（１）’’の少なくとも１つを満足する場合、前記有利な効果がさらに顕著に発揮される。
０．３＜Ｄ12W／ｆW  ・・・（１）’
Ｄ12W／ｆW＜０．４  ・・・（１）’’
【００４６】
例えば実施の形態１〜４に係るズームレンズ系のように、基本構成を有するズームレンズ系は、以下の条件（２）を満足することが好ましい。
１．０＜ｆ1／ｆ2＜２．０  ・・・（２）
ここで、
ｆ1：第１レンズ群の焦点距離、
ｆ2：第２レンズ群の焦点距離
である。
【００４７】
条件（２）は、第１レンズ群の焦点距離と第２レンズ群の焦点距離との比を規定している。条件（２）が満足される場合、望遠端における球面収差及び倍率色収差が良好に補正されるとともに、レンズ全長の縮小が可能になる。条件（２）の上限を上回ると、第２レンズ群のパワーが増加し、球面収差及び倍率色収差の悪化を招く恐れがある。一方、条件（２）の下限を下回ると、第２レンズ群のパワーが減少し、第２レンズ群でフォーカシングを行う際に、フォーカス移動量が増加する。その結果、レンズ全長が長くなり、レンズ系の小型化が困難になる。
【００４８】
各実施の形態に係るズームレンズ系が、以下の条件（２）’及び（２）’’の少なくとも１つを満足する場合、前記有利な効果がさらに顕著に発揮される。
１．２＜ｆ1／ｆ2  ・・・（２）’
ｆ1／ｆ2＜１．８  ・・・（２）’’
【００４９】
例えば実施の形態１〜４に係るズームレンズ系のように、基本構成を有し、第３レンズ群が少なくとも２つのサブレンズ群で構成されるズームレンズ系は、以下の条件（３）を満足することが好ましい。
０．０５＜Ｄ3／ｆW＜０．２５  ・・・（３）
ここで、
Ｄ3：１つのサブレンズ群（Ｇ３１）と、該サブレンズ群（Ｇ３１）よりも像側に配置された別のサブレンズ群（Ｇ３２）との光軸上の間隔、
ｆW：広角端における全系の焦点距離
である。
【００５０】
条件（３）は、第３レンズ群を構成するサブレンズ群同士の間隔を規定する。条件（３）が満足される場合、サブレンズ群に起因した製造上の誤差による性能劣化を抑えるとともに、レンズ全長の増大を抑えることが可能になる。条件（３）の上限を上回ると、２つのサブレンズ群のパワーが減少し、レンズ全長が長くなる恐れがある。一方、条件（３）の下限を下回ると、２つのサブレンズ群のパワーが増加し、広角端での球面収差の悪化を招く恐れがある。また、製造上の誤差による性能劣化を抑えることが困難になる。
【００５１】
各実施の形態に係るズームレンズ系が、以下の条件（３）’及び（３）’’の少なくとも１つを満足する場合、前記有利な効果がさらに顕著に発揮される。
０．０８＜Ｄ3／ｆW  ・・・（３）’
Ｄ3／ｆW＜０．２３  ・・・（３）’’
【００５２】
なお、各実施の形態に係るズームレンズ系の各レンズ群は、入射光線を屈折により偏向させる屈折型レンズ素子（すなわち、異なる屈折率を有する媒質同士の界面で偏向が行われるタイプのレンズ）のみで構成してもよい。あるいは、各レンズ群は、回折作用により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等のいずれか１種類又は複数種類の組み合わせによって構成してもよい。
【００５３】
（実施の形態５）
図１３は、実施の形態５に係るレンズ交換式デジタルカメラシステムの概略構成図である。
【００５４】
本実施の形態５に係るレンズ交換式デジタルカメラシステム１００（以下、単に「カメラシステム」という）は、カメラ本体１０１と、カメラ本体１０１に着脱自在に接続される交換レンズ装置２０１とを備える。
【００５５】
カメラ本体１０１は、交換レンズ装置２０１のズームレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、前記実施の形態１〜４のいずれかに係るズームレンズ系２０２と、ズームレンズ系２０２を保持する鏡筒２０３と、カメラ本体１０１のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図１３においては、ズームレンズ系２０２として実施の形態１に係るズームレンズ系を用いた場合を図示している。
【００５６】
本実施の形態５では、実施の形態１〜４のいずれかに係るズームレンズ系２０２を用いている。したがって、コンパクトで結像性能に優れた交換レンズ装置を低コストで実現することができる。また、本実施の形態５に係るカメラシステム１００全体の小型化及び低コスト化も達成することができる。
【００５７】
以下、前記各実施の形態に係るズームレンズ系を具体的に実施した数値実施例を説明する。後述するように、数値実施例１、２、３及び４は、それぞれ実施の形態１、２、３及び４に対応する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。
【００５８】
図２、５、８及び１１は、それぞれ数値実施例１、２、３及び４に係るズームレンズ系の無限遠合焦状態の縦収差図である。
【００５９】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００６０】
図３、６、９及び１２は、それぞれ数値実施例１、２、３及び４に係るズームレンズ系の望遠端における、像ぶれ補正を行っていない基本状態及び像ぶれ補正状態での横収差図である。
【００６１】
各横収差図において、上段３つの収差図は、望遠端における像ぶれ補正を行っていない基本状態、下段３つの収差図は、第４レンズ群Ｇ４全体を光軸と垂直な方向に所定量移動させた望遠端における像ぶれ補正状態にそれぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を第１レンズ群Ｇ１の光軸を含む平面としている。
【００６２】
各数値実施例のズームレンズ系の像ぶれ補正状態において、望遠端における、像ぶれ補正レンズ群（第４レンズ群Ｇ４）の光軸と垂直な方向への移動量（ＹT（ｍｍ））は、以下の表１に示すとおりである。像ぶれ補正角は、０．３°である。すなわち、以下に示す像ぶれ補正レンズ群の移動量は、ズームレンズ系の光軸が０．３°傾いた時の像偏心量に等しい。
【００６３】
表  １（像ぶれ補正レンズ群の移動量）
数値実施例    移動量ＹT（ｍｍ）
１            ０．４５４
２            ０．４７１
３            ０．４９２
４            ０．４１７
【００６４】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．３°までの像ぶれ補正角に対して、結像特性を低下させることなく充分な像ぶれ補正を行うことが可能である。
【００６５】
（数値実施例１）
数値実施例１のズームレンズ系は、図１に示した実施の形態１に対応する。数値実施例１のズームレンズ系の面データを表２に、各種データを表３に、単レンズデータを表４に、ズームレンズ群データを表５に、ズームレンズ群倍率を表６に示す。
【００６６】
表  ２（面データ）
面番号         r           d           nd         vd
物面             ∞
1        120.51440     4.10180     1.48749    70.4 
2               ∞     0.20010
3         85.63570     1.90070     1.68893    31.2 
4         54.12160     6.40130     1.49700    81.6 
5        300.49570        可変
6         35.26850     0.90010     1.62004    36.3 
7         21.47210     4.20330     1.48749    70.4 
8               ∞        可変
9        -78.36840     0.80070     1.77250    49.6 
10         29.03300     1.31110 
11         34.49490     2.30120     1.94595    18.0 
12       -162.95940     0.80060     1.90366    31.3 
13         30.04010     4.26350 
14(絞り)           ∞    17.19270
15         51.39220     2.50010     1.58913    61.3 
16        -73.34390     0.15010 
17         26.75080     0.80000     1.84666    23.8 
18         14.98860     5.02380     1.58913    61.3 
19        -87.43470        可変
20         23.23170     0.80040     1.77250    49.6 
21         13.10340     2.08040 
22        -50.37300     2.05100     1.84666    23.8 
23        -17.74240     0.80040     1.77250    49.6 
24         32.73270        可変
25         22.41450     5.10110     1.51680    64.2 
26        -22.45190     3.69230 
27        -18.20830     0.80070     1.91082    35.2 
28       -312.61980     0.15000 
29         43.52060     2.30080     1.84666    23.8 
30       -637.06910          BF 
像面             ∞
【００６７】
表  ３（各種データ）
ズーム比     2.82617
広角      中間      望遠
焦点距離     102.7209  174.1910  290.3070
Ｆナンバー     4.11397   4.86257   5.77082
画角         5.9655    3.5449    2.1271
像高        10.8150   10.8150   10.8150
レンズ全長    142.4843  171.6440  200.8351
ＢＦ       15.42012  27.89229  42.07583
d5          33.6396   57.5749   83.6685 
d8           7.4452    7.4930    2.3486 
d19         12.4788    6.1560    1.0408 
d24          2.8724    1.8996    1.0732 
入射瞳位置    115.4380  228.5110  418.3390
射出瞳位置    -33.5913  -31.0628  -29.0520
前側主点位置    2.8704 -111.9699 -476.2374
後側主点位置   39.7634   -2.5471  -89.4719
【００６８】
表  ４（単レンズデータ）
レンズ     始面     焦点距離
1         1      247.2143
2         3     -218.8586
3         4      131.6830
4         6      -90.7942
5         7       44.0463
6         9      -27.3348
7        11       30.2670
8        12      -28.0134
9        15       51.6771
10        17      -41.5582
11        18       22.1210
12        20      -40.2950
13        22       31.4438
14        23      -14.7920
15        25       22.5787
16        27      -21.2550
17        29       48.1902
【００６９】
表  ５（ズームレンズ群データ）
群   始面    焦点距離  レンズ構成長    前側主点位置  後側主点位置
1      1   143.13818    12.60390        -0.61627       3.73372
2      6    87.20136     5.10340        -0.29909       1.42586
3      9    25.73933    35.14380        26.82042      56.50803
4     20   -15.70240     5.73220         2.42875       4.15321
5     25    41.35217    12.04490        -3.41568       0.71736
【００７０】
表  ６（ズームレンズ群倍率）
群   始面    広角       中間       望遠
1      1    0.00000    0.00000    0.00000
2      6    0.46352    0.53109    0.63144
3      9    0.74438    0.89878    1.02826
4     20    5.88911   49.44138  -10.71862
5     25    0.35317    0.05157   -0.29143
【００７１】
（数値実施例２）
数値実施例２のズームレンズ系は、図４に示した実施の形態２に対応する。数値実施例２のズームレンズ系の面データを表７に、各種データを表８に、単レンズデータを表９に、ズームレンズ群データを表１０に、ズームレンズ群倍率を表１１に示す。
【００７２】
表  ７（面データ）
面番号         r           d           nd         vd
物面             ∞
1         97.05580     5.00000     1.48749    70.4 
2               ∞     0.20000
3         76.84090     1.29390     1.64769    33.8 
4         44.52250     7.00000     1.49700    81.6 
5        191.99550        可変
6         35.88470     0.80630     1.60342    38.0 
7         19.66490     4.39830     1.51680    64.2 
8        360.35180        可変
9        -52.20330     0.87400     1.72000    42.0 
10         19.13230     0.59280 
11         34.02180     3.06390     1.92286    20.9 
12        -28.06000     1.05320 
13        -24.68450     0.90640     1.85030    32.2 
14         32.75630     2.97660 
15(絞り)           ∞     9.26370
16         34.58260     4.43760     1.49700    81.6 
17        -26.52920     0.20000 
18         33.70020     0.80000     1.69895    30.0 
19         15.11570     2.02160 
20         17.44850     4.71320     1.49700    81.6 
21        -47.61970        可変
22         46.02400     0.80000     1.83400    37.3 
23         17.14210     1.14100 
24        -89.19140     3.65950     1.72825    28.3 
25        -11.35880     0.80000     1.72916    54.7 
26         50.64630        可変
27         25.53040     4.69370     1.52250    62.2 
28        -23.16730     3.46600 
29        -19.41550     0.80000     1.91082    35.2 
30       -227.34850     0.28470 
31         47.93580     2.14230     1.64769    33.8 
32       -270.25050          BF 
像面             ∞
【００７３】
表  ８（各種データ）
ズーム比     2.82516
広角      中間      望遠
焦点距離     103.0002  173.1283  290.9919
Ｆナンバー     4.12486   5.20034   5.81740
画角         5.9334    3.5209    2.1179
像高        10.8150   10.8150   10.8150
レンズ全長    143.7377  165.2802  194.8266
ＢＦ       15.54331  22.02404  47.08364
d5          36.4375   62.0970   76.2917 
d8           3.2004    5.5943    2.0764 
d21         16.4677    7.1749    0.9856 
d26          4.7001    1.0013    1.0006 
入射瞳位置    113.9530  288.8296  412.1775
射出瞳位置    -37.1387  -28.4718  -27.5954
前側主点位置   15.5746 -131.6231 -430.7004
後側主点位置   40.7375   -7.8480  -96.1653
【００７４】
表  ９（単レンズデータ）
レンズ     始面     焦点距離
1         1      199.0931
2         3     -166.0520
3         4      114.8189
4         6      -73.4747
5         7       40.0715
6         9      -19.3466
7        11       17.0669
8        13      -16.4357
9        16       30.9529
10        18      -39.9231
11        20       26.3265
12        22      -33.1712
13        24       17.5264
14        25      -12.6553
15        27       24.0406
16        29      -23.3497
17        31       63.0273
【００７５】
表  １０（ズームレンズ群データ）
群   始面    焦点距離  レンズ構成長    前側主点位置  後側主点位置
1      1   131.26505    13.49390        -1.01364       3.62928
2      6    90.27217     5.20460        -0.64130       1.18286
3      9    30.52850    30.90300        26.90568      55.84654
4     22   -18.23918     6.40050         1.75242       4.10345
5     27    49.83397    11.38670        -4.07030      -0.32306
【００７６】
表  １１（ズームレンズ群倍率）
群   始面    広角       中間       望遠
1      1    0.00000    0.00000    0.00000
2      6    0.51327    0.60095    0.66366
3      9    0.75680    1.01659    1.09472
4     22    4.45804    6.68241  -16.97186
5     27    0.45312    0.32308   -0.17979
【００７７】
（数値実施例３）
数値実施例３のズームレンズ系は、図７に示した実施の形態３に対応する。数値実施例３のズームレンズ系の面データを表１２に、各種データを表１３に、単レンズデータを表１４に、ズームレンズ群データを表１５に、ズームレンズ群倍率を表１６に示す。
【００７８】
表  １２（面データ）
面番号         r           d           nd         vd
物面             ∞
1         97.58170     5.00000     1.48749    70.4 
2               ∞     0.20000
3         77.36560     1.29570     1.64769    33.8 
4         44.98920     7.00000     1.49700    81.6 
5        207.32320        可変
6         37.01110     0.95340     1.60342    38.0 
7         21.08970     4.11870     1.51680    64.2 
8        434.38390        可変
9        -62.26150     0.80000     1.72342    38.0 
10         20.52470     0.33290 
11         29.96210     2.35210     1.94595    18.0 
12        -61.25090     0.83240     1.90366    31.3 
13         27.22150     5.59040 
14(絞り)           ∞    13.07180
15         45.92420     3.68310     1.49700    81.6 
16        -30.17770     0.23690 
17         25.55670     0.87400     1.68893    31.2 
18         13.24150     4.87430     1.49700    81.6 
19       -131.01560        可変
20         69.36360     1.01050     1.85135    40.1 
21         17.62790     1.17140 
22        -67.00390     3.18160     1.72825    28.3 
23         -9.69230     0.80000     1.72916    54.7 
24         56.87670        可変
25         23.22840     5.46410     1.51680    64.2 
26        -18.28000     2.81560 
27        -15.76010     0.80000     1.91082    35.2 
28        -58.95560     0.20000 
29         69.09920     1.74090     1.72342    38.0 
30               ∞          BF
像面             ∞
【００７９】
表  １３（各種データ）
ズーム比     2.82887
広角      中間      望遠
焦点距離     103.0904  173.3112  291.6294
Ｆナンバー     4.16474   5.20642   5.78377
画角         5.9036    3.4958    2.1038
像高        10.8150   10.8150   10.8150
レンズ全長    142.6299  165.8948  190.7839
ＢＦ       15.55002  19.28288  39.75324
d5          32.6900   64.4341   78.0946 
d8           6.5587    5.4483    2.3482 
d19         14.7843    7.3192    1.0306 
d24          4.6471    1.0105    1.1575 
入射瞳位置    120.1290  325.8056  481.0697
射出瞳位置    -37.3488  -28.2418  -27.8499
前側主点位置   22.3147 -132.9081 -485.3437
後側主点位置   39.5395   -7.4165 -100.8454
【００８０】
表  １４（単レンズデータ）
レンズ     始面     焦点距離
1         1      200.1719
2         3     -168.6346
3         4      113.9776
4         6      -83.1190
5         7       42.7456
6         9      -21.2516
7        11       21.5397
8        12      -20.7624
9        15       37.2403
10        17      -41.0755
11        18       24.4719
12        20      -28.0126
13        22       15.2041
14        23      -11.2998
15        25       20.7237
16        27      -23.8266
17        29       95.5178
【００８１】
表  １５（ズームレンズ群データ）
群   始面    焦点距離  レンズ構成長    前側主点位置  後側主点位置
1      1   129.10738    13.49570        -0.78408       3.84161
2      6    90.10947     5.07210        -0.57563       1.20455
3      9    25.96025    32.64790        25.35015      55.73092
4     20   -16.20447     6.16350         1.60407       3.84112
5     25    43.10103    11.02060        -3.34409       0.51736
【００８２】
表  １６（ズームレンズ群倍率）
群   始面    広角       中間       望遠
1      1    0.00000    0.00000    0.00000
2      6    0.50781    0.61844    0.68242
3      9    0.75171    1.01106    1.12816
4     20    5.28860    6.94947  -17.67296
5     25    0.39553    0.30892   -0.16602
【００８３】
（数値実施例４）
数値実施例４のズームレンズ系は、図１０に示した実施の形態４に対応する。数値実施例４のズームレンズ系の面データを表１７に、各種データを表１８に、単レンズデータを表１９に、ズームレンズ群データを表２０に、ズームレンズ群倍率を表２１に示す。
【００８４】
表  １７（面データ）
面番号         r           d           nd         vd
物面             ∞
1         99.57310     5.00000     1.48749    70.4 
2      -3147.66250     0.20000 
3         72.16670     1.30240     1.64769    33.8 
4         43.25590     7.00000     1.49700    81.6 
5        159.98290        可変
6         35.57140     0.80000     1.60323    42.5 
7         18.93980     3.91130     1.51680    64.2 
8        229.23560        可変
9        -69.76930     0.80000     1.69680    55.5 
10         18.09430     0.77690 
11         39.98810     1.58620     1.78590    43.9 
12         21.43280     0.94750 
13         24.19070     3.00980     1.94595    18.0 
14         48.98130     1.70330 
15(絞り)           ∞     9.58480
16         32.52270     5.36790     1.49700    81.6 
17        -33.22870     0.20000 
18         37.79920     0.80000     1.69895    30.0 
19         16.06200     1.11780 
20         17.74900     4.68960     1.49700    81.6 
21        -48.61900        可変
22         47.30340     0.80000     1.78590    43.9 
23         16.98380     1.20240 
24        -99.80740     2.55330     1.75520    27.5 
25        -12.38640     0.80000     1.72916    54.7 
26         33.76420        可変
27         20.59410     4.73920     1.49700    81.6 
28        -23.01700     3.93520 
29        -17.07860     0.80000     1.91082    35.2 
30        -69.57970     0.44740 
31         50.23860     3.34040     1.67270    32.2 
32       -672.92370          BF 
像面             ∞
【００８５】
表  １８（各種データ）
ズーム比     2.82492
広角      中間      望遠
焦点距離     102.9987  173.1272  290.9632
Ｆナンバー     4.10049   5.20062   5.77047
画角         5.9664    3.5578    2.1267
像高        10.8150   10.8150   10.8150
レンズ全長    143.8041  167.6709  197.2574
ＢＦ       15.58902  28.12740  49.48389
d5          37.4204   57.8916   76.4256 
d8           3.3295    5.5053    2.0158 
d21         16.3267    7.7441    0.9466 
d26          3.7231    0.9871    0.9701 
入射瞳位置    112.2787  234.2787  388.4450
射出瞳位置    -36.2151  -28.9197  -27.8160
前側主点位置   10.4918 -118.0030 -415.8017
後側主点位置   40.8054   -5.4563  -93.7058
【００８６】
表  １９（単レンズデータ）
レンズ     始面     焦点距離
1         1      198.0935
2         3     -169.7127
3         4      116.9585
4         6      -68.3897
5         7       39.6974
6         9      -20.5431
7        11      -61.0701
8        13       47.7114
9        16       33.9918
10        18      -40.5750
11        20       26.7902
12        22      -34.1122
13        24       18.4930
14        25      -12.3378
15        27       22.6881
16        29      -25.0322
17        31       69.6232
【００８７】
表  ２０（ズームレンズ群データ）
群   始面    焦点距離  レンズ構成長    前側主点位置  後側主点位置
1      1   131.31005    13.50240        -1.35259       3.33392
2      6    97.36815     4.71130        -0.89859       0.76560
3      9    32.58968    30.58380        26.33294      54.52650
4     22   -17.08612     5.35570         1.80470       3.68344
5     27    40.81610    13.26220        -3.40571       0.80121
【００８８】
表  ２１（ズームレンズ群倍率）
群   始面    広角       中間       望遠
1      1    0.00000    0.00000    0.00000
2      6    0.53503    0.60284    0.68098
3      9    0.73640    0.91862    1.03929
4     22    6.36529  426.75313   -6.04824
5     27    0.31277    0.00558   -0.51766
【００８９】
以下の表２２に、各数値実施例のズームレンズ系における各条件の対応値を示す。
【００９０】
表  ２２（条件の対応値）
【表１】
0005673365.tif 000002
【産業上の利用可能性】
【００９１】
本発明に係るズームレンズ系は、デジタルスチルカメラ、デジタルビデオカメラ、携帯電話機器のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能であり、特にデジタルスチルカメラシステム、デジタルビデオカメラシステムといった高画質が要求される撮影光学系に好適である。
【符号の説明】
【００９２】
Ｇ１    第１レンズ群
Ｇ２    第２レンズ群
Ｇ３    第３レンズ群
Ｇ４    第４レンズ群
Ｇ５    第５レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ｌ１５  第１５レンズ素子
Ｌ１６  第１６レンズ素子
Ｌ１７  第１７レンズ素子
Ａ      開口絞り
Ｓ      像面
１００  レンズ交換式デジタルカメラシステム
１０１  カメラ本体
１０２  撮像素子
１０３  液晶モニタ
１０４  カメラマウント部
２０１  交換レンズ装置
２０２  ズームレンズ系
２０３  鏡筒
２０４  レンズマウント部
【図１】
0005673365.tif 000003
【図２】
0005673365.tif 000004
【図３】
0005673365.tif 000005
【図４】
0005673365.tif 000006
【図５】
0005673365.tif 000007
【図６】
0005673365.tif 000008
【図７】
0005673365.tif 000009
【図８】
0005673365.tif 000010
【図９】
0005673365.tif 000011
【図１０】
0005673365.tif 000012
【図１１】
0005673365.tif 000013
【図１２】
0005673365.tif 000014
【図１３】
0005673365.tif 000015